(57)【要約】【課題】  従来に比べて、光による演出効果を高めることができる車両用収納物保持装置の提供。【解決手段】  （１）収納部２１を備える本体２０と、本体２０に回動可能に取付けられ収納部２１に収納される収納物Ｃの側面を支持するサポート３０と、本体２０に設けられ収納部２１に向って投光する発光部材６０と、を有し、発光部材６０は、サポート３０より、収納部２１に収納物Ｃを出し入れする出し入れ方向の奥側に配置されている。（２）サポート３０は光非透過性部材からなる。（３）サポート３０は光透過性部材からなる。【選択図】        図３
2006341720.tif 000002
【特許請求の範囲】
【請求項１】
収納部を備える本体と、
前記本体に回動可能に取付けられ前記収納部に収納される収納物の側面を支持するサポートと、
前記本体に設けられ前記収納部に向って投光する発光部材と、
を有し、
前記発光部材は、前記サポートより前記収納部に収納物を出し入れする出し入れ方向の奥側に配置されている、車両用収納物保持装置。
【請求項２】
前記サポートは光非透過性部材からなる請求項１記載の車両用収納物保持装置。
【請求項３】
前記サポートは光透過性部材からなる請求項１記載の車両用収納物保持装置。
【発明の詳細な説明】
【技術分野】
【０００１】
本発明は、カップホルダ等の車両用収納物保持装置に関する。
【背景技術】
【０００２】
特開２００２−１４４９６５号公報は、収納物保持装置の位置を使用者に知らせるために収納部を照明した、車両用収納物保持装置を開示している。
【０００３】
しかし、上記公報開示の装置にはつぎの問題点がある。
収納物保持装置の位置を知らせるために照明しているにすぎないため、光による演出効果が少ない。
【特許文献１】特開２００２−１４４９６５号公報
【発明の開示】
【発明が解決しようとする課題】
【０００４】
本発明の目的は、従来に比べて、光による演出効果を高めることができる車両用収納物保持装置を提供することにある。
【課題を解決するための手段】
【０００５】
上記目的を達成する本発明はつぎの通りである。
（１）  収納部を備える本体と、
前記本体に回動可能に取付けられ前記収納部に収納される収納物の側面を支持するサポートと、
前記本体に設けられ前記収納部に向って投光する発光部材と、
を有し、
前記発光部材は、前記サポートより前記収納部に収納物を出し入れする出し入れ方向の奥側に配置されている、車両用収納物保持装置。
（２）  前記サポートは光非透過性部材からなる（１）記載の車両用収納物保持装置。
（３）  前記サポートは光透過性部材からなる（１）記載の車両用収納物保持装置。
【発明の効果】
【０００６】
上記（１）の車両用収納物保持装置では、発光部材がサポートより収納物出し入れ方向の奥側に配置されているので、サポートがシェードとしても働く。そのため、サポートで光量を加減し高級感のある雰囲気を出すことができる。
上記（２）の車両用収納物保持装置では、サポートが光非透過性部材からなるので、サポートで発光部材からの光を遮ることができる。そのため、発光部材から収納部に入り収納部の底面で反射した光が収納物保持装置の外部に出てくる（間接照明効果を得ることができる）。そのため、光による演出効果を高めることができる。
上記（３）の車両用収納物保持装置では、サポートが光透過性部材からなるので、発光部材からの光の一部がサポートに入り込み、サポートを光らせることができる。そのため、サポートが光らない場合に比べて、光による演出効果を高めることができる。また、サポートの位置が夜間でも見やすくなる。そのため、収納物保持装置の操作性が高まり商品性が向上する。
【発明を実施するための最良の形態】
【０００７】
本発明実施例の車両用収納物保持装置は、たとえば、車両用カップホルダ装置、車両用傘ホルダ装置、車両用携帯電話保持装置、車両用小物入れなどである（図示例では、本発明実施例の車両用収納物保持装置が車両用カップホルダ装置である場合を示している）。
本発明実施例の車両用収納物保持装置１０は、本体２０と、サポート３０と、発光部材６０と、を有する。車両用収納物保持装置１０は、さらに、第１のスプリング４０と、第２のスプリング５０と、を有する。
【０００８】
本体２０は、たとえば樹脂製である。本体２０は、車両の内装部材に取付けられる。本体２０は、車両の内装部材に一体に形成されていてもよく、車両の内装部材と別体に形成されて車両の内装部材に固定して取付けられていてもよい。
本体２０は、収納部２１を備える。収納部２１の側壁２１ａには、上下方向（収納物出入れ方向）に延びる穴２２が設けられている。穴２２は、側壁２１ａに複数設けられていてもよい（図示例では、１つの側壁２１ａに３個設けられている場合を示している）。穴２２が複数設けられている場合、１つ１つの穴２２は、収納部２１の底面から同じ距離隔てた位置にある。
本体２０は、ケース２３を有する。ケース２３は、側壁２１ａに配置される。ケース２３は、穴２２と同数設けられている。ケース２３は、上下方向と直交またはほぼ直交する方向に長手軸が延びる長穴２３ａと、図６に示すように、サポート３０の爪部３２ｂが引っ掛かり可能な引っ掛かり部２３ｂと、発光部材４０からの光を収納部２１に導く導光穴２３ｅと、を備える。
長穴２３ａは、図１０に示すように、長さＬ１の平行部２３ｃと、平行部２３ｃの両端の半径ｒの半円部２３ｄからなる。長穴２３ａには、サポート３０のピン３１ｃが入り込む。
導光穴２３ｅはサポート３０の裏側に設けられている。導光穴２３ｅは、サポート３０より、収納部２１に収納物Ｃを出し入れする収納物出し入れ方向奥側に設けられている。導光穴２３ｅはサポート３０の裏にある（サポート３０の影にある）。
【０００９】
サポート３０は、一部品構成であってもよく、二部品構成であってもよい（本発明図示例ではサポート３０が二部品構成である場合を示している）。以下、本発明実施例では、サポート３０が二部品構成である場合を例にとって説明する。
サポート３０は、図２に示すように、本体２０に回動可能に取付けられ収納部２１に収納される収納物Ｃの側面を支持する第１のサポート３１と、第１のサポート３１に回動可能に取付けられ収納部２１に収納される収納物Ｃの側面を第１のサポート３１より上方位置で支持する第２のサポート３２と、を備える。ただし、第２のサポート３２は、収納部２１に収納される収納物Ｃの側面を第１のサポート３１より下方位置で支持してもよい。以下、本発明実施例では、第２のサポート３２が収納部２１に収納される収納物Ｃの側面を第１のサポート３１より上方位置で支持する場合を例にとって説明する。
【００１０】
第１のサポート３１は、透明樹脂製である。ただし、第１のサポート３１は非透明樹脂性であってもよい。ここで、透明樹脂は、透明な、アクリル樹脂、ＡＢＳ樹脂、ポリカーボネ―ト樹脂、ポリカＡＢＳ樹脂などである。透明樹脂は、無色であってもよく着色されていてもよい。
第１のサポート３１は、本体２０の穴２２と同数設けられている。第１のサポート３１は、本体２０に対し、上下方向に回動可能である。第１のサポート３１は、本体２０に対し、収納部２１内に張出す張出し位置３１ａ（図３に示す位置）と、張出し位置３１ａから押し下げられた押し下げ位置３１ｂ（図８に示す位置）とに回動可能である。第１のサポート３１は、図３に示すように、張出し位置３１ａにあるとき、上下方向と直交またはほぼ直交する方向に延びている。第１のサポート３１はピン３１ｃを備える。
ピン３１ｃは、第１のサポート３１の一端部に設けられる。ピン３１ｃは、長穴２３ａ内で、回動可能であり長穴２３ａの長手軸方向に移動可能である。サポート３０は、本体２０に対して、ピン３１ｃが長穴２３ａ内で収納部２１の中心Ｏ側の端部に位置する前進位置３０ａと、ピン３０ｃが長穴２３ａ内で収納部２１の中心Ｏと反対側の端部に位置する後退位置３０ｂとに、移動可能である。
【００１１】
第２のサポート３２は、非透明樹脂製である。ただし、第２のサポート３２は透明樹脂製であってもよい。
第２のサポート３２は、第１のサポート３１と同数設けられている。第２のサポート３２は、第１のサポート３１に対し、上下方向に回動可能である。第２のサポート３２は、図１１に示すように、回動軸部３２ａと爪部３２ｂを有する。
回動軸部３２ａは、第２のサポート３２の一端部に設けられる。回動軸部３２ａは、図２に示すように、第１のサポート３１に設けられる凹部３１ｄに挿入される。凹部３１ｄの断面形状は円形であり、回動軸部３２ａは凹部３１ｄ内で回動のみ可能である。第２のサポート３２の回動軸芯Ｐ２と第１のサポート３１の回動軸芯Ｐ１は、一致していてもよく、軸芯Ｐ１、Ｐ２と直交方向に位置ずれしていてもよい。
爪部３２ｂは、図１１に示すように、回動軸部３２ａが設けられている端部に設けられる。爪部３２ｂは、第２のサポート３２と一体に形成されていてもよく、第２のサポート３２と別体に形成されて第２のサポート３２に固定して取付けられていてもよい。爪部３２ｂは、サポート３０が後退位置３０ｂに位置するときに引っ掛かり部２３ｂに引っ掛かり可能とされており、サポート３０が前進位置３０ａに位置するとき引っ掛かり部２３ｂに引っ掛かり不能とされている。サポート３０が後退位置３０ｂに位置するとき、爪部３２ｂが引っ掛かり部２３ｂに引っ掛かる引っ掛かり長さは、長穴２３ａの平行部２３ｃの長さＬ１より小である。爪部３２ｂが引っ掛かり部２３ｂに引っ掛かることで、第２のサポート３２がそれ以上収納部２１から出る方向に回動すること（側壁２１ａ内に入り込むこと）を防止できる。
【００１２】
サポート３０は、図９に示すように、収納部２１に収納された収納物Ｃを収納部２１から取出すときに本体２０と接触してサポート３０を後退位置３０ｂから前進位置３０ａに移動させる第１のカム部３３と、収納部２１に大径の収納物Ｃ１を収納するときに本体２０と接触してサポート３０を後退位置３０ｂから前進位置３０ａに移動させる第２のカム部３４と、を有する。
【００１３】
第１のカム部３３は、第１のサポート３１に設けられる。第１のカム部３３は、第１のサポート３１に一体に形成されていてもよく、第１のサポート３１と別体に形成されて第１のサポート３１に固定して取付けられていてもよい。第１のカム部３３は、ピン３１ｃが設けられている端部に設けられる。第１のカム部３３は、第１のサポート３１が押し下げ位置３１ｂから張出し位置３１ａに回動するときに、本体２０に当りサポート３０を長穴２３ａに沿って後退位置３０ｂから前進位置３０ａに移動させる。第１のカム部３３はカム面３３ａを備える。カム面３３ａの軸芯Ｐ１からの距離Ｌ２は、カム面３３ａの先端Ｓに近づくにつれて徐々に増大している。軸芯Ｐ１とカム面３３ａの先端Ｓとの間の距離Ｌ３は、サポート３０が前進位置３０ａにあるとき、軸芯Ｐ１と側壁２１ａとの間の距離Ｌ４と、ほぼ等しい。
【００１４】
第２のカム部３４は、第１のサポート３１に設けられる。第２のカム部３４は、第１のサポート３１に一体に形成されていてもよく、第１のサポート３１と別体に形成されて第１のサポート３１に固定して取付けられていてもよい。第２のカム部３４は、第１のサポート３１が張出し位置３１ａに位置するとき、第１のサポート３１の下面に設けられる。第２のカム部３４は、収納部２１に収納される大径の収納物Ｃ１により第１のサポート３１が所定角以上押し下げられるときに、図８に示すように、本体２０に当りサポート３０を後退位置３０ｂから前進位置３０ａに移動させる。図１０に示すように、第２のカム部３４の高さＨは、長穴２３ａの平行部２３ｃの長さＬ１に等しいか、Ｌ１より若干小である。
【００１５】
第１のスプリング４０は、図２に示すように、トーションスプリングからなる。第１のスプリング４０の一端は本体２０に当てられており、第１のスプリング４０の他端は第１のサポート３１または第２のサポート３２に当てられている。第１のスプリング４０の一端が本体２０に当てられており、第１のスプリング４０の他端が第２のサポート３２に当てられているとき、第１のスプリング４０のバネ力は第２のスプリング５０のバネ力より小とされている。第１のスプリング４０は、第１のサポート３１が押し下げ位置３１ｂから張出し位置３１ａに回動する方向に、サポート３０を本体２０に対して回動付勢する。
【００１６】
第２のスプリング５０は、トーションスプリングからなる。第２のスプリング５０の一端は第１のサポート３１に当てられており、第２のスプリング５０の他端は第２のサポート３２に当てられている。第２のスプリング５０は、第１のサポート３１と第２のサポート３２を、第１のサポート３１の収納部２１に面する面３１ｅと第２のサポート３２の収納部２１に面する面３２ｃとのなす角Ａを小にする方向に回動付勢する。角Ａは、第２のサポート３２の一部と第１のサポート３１の一部が当り合うことにより所定角度よりも小になることはない。ここで所定角度は、たとえば、９０°またはほぼ９０°（９０°±２０°以内）である。
【００１７】
発光部材６０は、たとえばＬＥＤ、電球、ＥＬ（エレクトロルミネッセンス、平面発光体）等からなる。ただし、発光部材６０は、これらに限定されるものではない。
発光部材６０は、ケース２３の外面に固定して取付けられる。発光部材６０は、サポート３０の裏側に設けられている。発光部材６０は、サポート３０より、収納物出し入れ方向奥側に設けられている。発光部材６０の光は、導光穴２３ｃを通って収納部２１に入り込む。
【００１８】
つぎに、本発明実施例の車両用収納物保持装置の作動を説明する。
（ａ）収納部２１に収納物Ｃが収納されていないとき
サポート３０は、前進位置３０ａに位置する。第１のサポート３１は、図３に示すように、張出し位置３１ａに位置する。第２のサポート３２は、上方に立ち上がった姿勢をとっている。第２のサポート３２は、収納部２１の側壁２１ａ内に収納されていることが望ましい。爪部３２ｂは、引っ掛かり部２３ｂに引っ掛かり不能である。第１のカム部３３は、本体２０に接触している。
【００１９】
（ｂ）収納部２１に収納物Ｃが収納されるとき
収納部２１に収納物Ｃを収納するとき、図４に示すように、張出し位置３１ａにある第１のサポート３１が収納物Ｃによって押し下げられる。第２のサポート３２は、第２のスプリング５０の付勢力により角Ａを一定に保ちながら第１のサポート３１とともに本体２０に対し回動する。
第２のサポート３２が収納物Ｃの側面に当るまで収納部２１に収納物Ｃを収納した後、さらに収納物Ｃを収納していくと、第１のサポート３１が第２のサポート３２に対し角Ａを大にする方向に回動する。このとき、第１、第２のサポート３１、３２は、第２のスプリング５０の付勢力で角Ａを小にする方向に回動しようとするが、収納物Ｃにより妨げられる。そのため、図５に示すように、第２のスプリング５０の反力で、ピン３１ｃが、長穴２３ａ内を、サポート３０が前進位置３０ａから後退位置３０ｂに移動する方向に移動する。
【００２０】
（ｃ）収納部２１に収納物Ｃを収納したとき
サポート３０は、図６に示すように、後退位置３０ｂに位置する。第１のサポート３１は、収納物Ｃの側面の下端部を支持する。第２のサポート３２は、収納物Ｃの側面のうち第１のサポート３１が支持する位置よりも上方位置を支持する。爪部３２ｂは、本体２０の引っ掛かり部２３ｂに引っ掛かり可能である。爪部３２ｂが引っ掛かり部２３ｂに引っ掛かり可能であるので、車両が横揺れし収納物Ｃが収納部２１内で倒れそうになっても、爪部３２ｂが引っ掛かり部２３ｂに引っ掛かるまでしか収納物Ｃは倒れることができない。第１のカム部３３は、本体２０から離れている。
【００２１】
（ｄ）収納部２１から収納物Ｃを取り除くとき
図７に示すように、収納物Ｃが収納部２１から抜けるにつれて第１のサポート３１が張出し位置３１ａに向って回動する。第１のサポート３１が張出し位置３１ａに向って回動するので、第１のカム部３３が本体２０に当りサポート３０が後退位置３０ｂから前進位置３０ａに向って移動する。
サポート３０が前進位置３０ａに向って移動するので、爪部３２ｂが引っ掛かり部２３ｂに引っ掛かり不能になる。そのため、サポート３０は、収納部２１に収納物Ｃを収納していない状態（上記（ａ）の状態）に戻ることができる。
【００２２】
（ｅ）収納部２１の側壁２１ａで直接収納物Ｃの側面を支持できる程度の、大径の収納物Ｃ１を収納部２１に収納するとき
収納部２１に大径収納物Ｃ１を収納するとき、張出し位置３１ａにある第１のサポート３１が大径収納物Ｃ１によって押し下げられる。第２のサポート３２は、第２のスプリング５０の付勢力により角Ａを一定に保ちながら第１のサポート３１とともに本体２０に対し回動する。
第２のサポート３２が大径収納物Ｃ１の側面に当るまで収納部２１に大径収納物Ｃ１を収納した後、さらに大径収納物Ｃ１を収納していくと、第２のスプリング５０の反力で、サポート３０が前進位置３０ａから後退位置３０ｂに移動する。サポート３０が後退位置３０ｂに移動するため、爪部３２ｂは、本体２０の引っ掛かり部２３ｂに引っ掛かり可能になる。
さらに収納部２１に大径収納物Ｃ１を収納していくと、図８に示すように、第１のサポート３１が大径収納物Ｃ１によりさらに押し下げられ、第２のカム部５０が本体２０に当る。第２のカム部５０が本体２０に当るとサポート３０が後退位置３０ｂから前進位置３０ａに向って移動する。
サポート３０が前進位置３０ａに向って移動するので、爪部３２ｂが引っ掛かり部２３ｂに引っ掛かり不能になる。したがって、大径収納物Ｃ１を収納するときには、爪部３２ｂが引っ掛かり部２３ｂに引っ掛かることなく大径収納物Ｃ１を収納部２１に収納できる。
なお、大径収納物Ｃ１は大径であるため、大径収納物Ｃ１の側面は収納部２１の側壁２１ａで隙間なくまたは無視できる程度の隙間をもって支持される。そのため、爪部３２ｂの引っ掛かり部２３ｂへの引っ掛かりを外しても収納部２１内で大径収納物Ｃ１が倒れることはない。
【００２３】
本発明実施例の作用を説明する。
本発明実施例では、発光部材６０がサポート３０より収納物出し入れ方向の奥側に配置されているので、サポート３０がシェードとしても働く。そのため、サポート３０で光量を加減し高級感のある雰囲気を出すことができる。
また、第１のサポート３１が光非透過性部材からなる場合には、第１のサポート３１で発光部材６０からの光を遮ることができる。そのため、発光部材６０から収納部２１に入り収納部２１の底面で反射した光が収納物保持装置１０の外部に出てくる（間接照明効果を得ることができる）。そのため、光による演出効果を高めることができる。
また、第１のサポート３１が光透過性部材からなる場合には、発光部材６０からの光の一部が第１のサポート３１に入り込み、第１のサポート３１を光らせることができる。そのため、第１のサポート３１が光らない場合に比べて、光による演出効果を高めることができる。また、第１のサポート３１の位置が夜間でも見やすくなり、収納物保持装置１０の操作性が高まり商品性が向上する。
【００２４】
本発明実施例では、サポート３０が第１のサポート３１と第２のサポート３２を有するので、車両が横揺れしても収納物Ｃが収納部２１内で傾くことを防止できる。また、第１、第２のサポート３１、３２が収納物Ｃの側面を支持するため、収納物Ｃの重さに無関係に収納物を支持できる。
第２のスプリング５０を有するので、第１のサポート３１が収納物Ｃによって押されて回動したときに、第２のサポート３２を、第１のサポート３１とともに本体２０に対して回動させることができる。
【００２５】
爪部３２ｂが引っ掛かり部２３ｂに引っ掛かり可能であるので、車両が横揺れし収納物Ｃが収納部２１内で倒れそうになっても、爪部３２ｂが引っ掛かり部２３ｂに引っ掛かるまでしか収納物Ｃは倒れることができない。そのため、爪部３２ｂが設けられていない場合に比べて、収納物Ｃが傾くことを防止できる。
爪部３２ｂは、サポート３０が後退位置３０ｂに位置するとき本体２０に引っ掛かり可能であり、サポート３０が前進位置３０ａに位置するとき本体２０に引っ掛かり不能であるので、収納物Ｃが収納部２１に収納されていないときにサポート３０を前進位置３０ａに位置させることにより、収納物Ｃが収納部２１に収納されていないときに第２のサポート３２が収納部２１内に突出することを防止できる。そのため、収納物Ｃを収納部２１に収納するときに第２のサポート３２が邪魔になることを防止できる。
第１のカム部３３が設けられているので、収納物Ｃが収納部２１に収納されていないときにサポート３０を前進位置３０ａに位置させることができる。
第２のカム部３４が設けられているので、大径収納物Ｃ１を収納部２１に収納するときに、爪部３２ｂが本体２０に引っ掛かり第２のサポート３２が収納部２１内に突出し続けることを防止できる。そのため、大径収納物Ｃ１を収納部２１に収納するときに第２のサポート３２で大径収納物Ｃ１の側壁を凹ますことはない。
【００２６】
第１のサポート３１の回動軸芯Ｐ１が第２のサポート３２の回動軸芯Ｐ２より上方に位置している場合、第１のサポート３１の回動軸芯Ｐ１が第２のサポート３２の回動軸芯Ｐ２と上下方向で同じ位置にある場合に比べて、第１のサポート３１で収納物Ｃを支持する点を上方にもってくることができる。
【００２７】
第１、第２のスプリング４０、５０を有するので、収納物Ｃを収納部２１に収納していないとき第１のサポート３１を張出し位置３０ａに位置させることができる。そのため、収納物Ｃを収納するとき、確実に収納物Ｃで第１のサポート３１を押し下げることができる。
第１、第２のスプリング４０、５０が設けられているので、手でサポートを収納物側面まで引き出さなくても、収納部２１に収納物Ｃを挿入するだけで第１、第２のサポート３１、３２で収納物Ｃを２点支持できる。
【図面の簡単な説明】
【００２８】
【図１】本発明実施例の車両用収納物保持装置の斜視図である。
【図２】本発明実施例の車両用収納物保持装置の分解斜視図である。図中車両用収納物保持装置Ｂは６個あり各Ｂが収納部の側壁の各穴に配置される。
【図３】本発明実施例の車両用収納物保持装置の、収納物を収納部に入れるときの断面図である。
【図４】図３の状態からさらに収納物を挿入したときの断面図である。
【図５】図４の状態からさらに収納物を挿入したときの断面図である。
【図６】図５の状態からさらに収納物を挿入し収納物を収納部に収納し終えた状態を示す断面図である。
【図７】図６の状態から収納物を取り出すときを示す断面図である。
【図８】本発明実施例の車両用収納物保持装置の、大径収納物を収納部に入れたときの断面図である。
【図９】本発明実施例の車両用収納物保持装置の、第１のサポートの拡大側面図である。
【図１０】本発明実施例の車両用収納物保持装置の、第２のカム部が本体に当っているときの、第１のサポートの拡大側面図である。
【図１１】本発明実施例の車両用収納物保持装置の、第２のサポートの拡大側面図である。
【符号の説明】
【００２９】
１０  車両用収納物保持装置
２０  本体
２１  収納部
２１ａ  収納部の側壁
２２  側壁の穴
２３  ケース
２３ａ  長穴
２３ｂ  引っ掛かり部
２３ｅ  導光穴
３０  サポート
３０ａ  前進位置
３０ｂ  後退位置
３１  第１のサポート
３１ａ  張出し位置
３１ｂ  押し下げ位置
３１ｃ  ピン
３１ｅ  第１のサポートの収納部に接触する面
３２  第２のサポート
３２ａ  回動軸部
３２ｂ  爪部
３２ｃ  第２のサポートの収納部に接触する面
３３  第１のカム部
３４  第２のカム部
４０  第１のスプリング
５０  第２のスプリング
６０  発光部材
Ａ  第１のサポートと第２のサポートとのなす角
Ｃ、Ｃ１  収納物
Ｏ  収納部の中心
【図１】
2006341720.tif 000003
【図２】
2006341720.tif 000004
【図３】
2006341720.tif 000005
【図４】
2006341720.tif 000006
【図５】
2006341720.tif 000007
【図６】
2006341720.tif 000008
【図７】
2006341720.tif 000009
【図８】
2006341720.tif 000010
【図９】
2006341720.tif 000011
【図１０】
2006341720.tif 000012
【図１１】
2006341720.tif 000013